(57)【特許請求の範囲】
【請求項１】
少なくともペアとなる第１及び第２記録層が積層されてなると共に該第１及び第２記録層に対する記録又は再生位置が未記録エリアへ外れることを防止するための緩衝用エリアを前記第１及び第２記録層の記録エリアに隣接する位置に配置したディスク状の情報記録媒体に対して、記録すべき情報のうち第１部分を、前記情報記録媒体の内周側及び外周側のうち一方側から他方側へ向かう第１トラックパスに沿って前記第１記録層に書き込み可能であり、記録方向を折り返して前記記録すべき情報のうち第２部分を、前記他方側から前記一方側へ向かう第２トラックパスに沿って前記第２記録層に書き込み可能である書込手段と、
（Ｉ）前記第１トラックパスに沿って、前記第１部分を前記第１記録層に書き込み、続いて、前記第１記録層の緩衝用エリアの一部において前記第１トラックパスに沿って所定量の第１緩衝用データを前記第１記録層に書き込むと共に前記第１記録層から前記第２記録層への層間ジャンプを行ない、（ＩＩ）その後、前記第２記録層の緩衝用エリアの一部において前記第２トラックパスに沿って所定量の第２緩衝用データを前記第２記録層に書き込み、続いて、前記第２トラックパスに沿って、前記第２部分を前記第２記録層に書き込むように、前記書込手段を制御する制御手段と
を備えたことを特徴とする情報記録装置。
【請求項２】
前記制御手段は、前記所定量の第１緩衝用データの前記第１記録層への書き込みを、前記第１記録層の緩衝用エリアの一部において物理アドレスを含む所定記録単位で終了するように、前記書込手段を制御することを特徴とする請求項１に記載の情報記録装置。
【請求項３】
前記制御手段は、前記所定量の第２緩衝用データの前記第２記録層への書き込みを、前記物理アドレスに対応する前記第２記録層の緩衝用エリアの一部における対応アドレスを含む所定記録単位から開始するように、前記書込手段を制御することを特徴とする請求項２に記載の情報記録装置。
【請求項４】
前記制御手段は、前記所定量の第１緩衝用データを前記第１記録層に書き込んだ後に、前記対応アドレスをサーチし、前記サーチされた対応アドレスに基づいて、前記所定量の第２緩衝用データを書き込むように、前記書込手段を制御することを特徴とする請求項３に記載の情報記録装置。
【請求項５】
前記制御手段は、前記所定量の第２緩衝用データの前記第２記録層への書き込みを、前記物理アドレスに対応する前記第２記録層の緩衝用エリアの一部における対応アドレスよりも前記一方側に位置する筈の準対応アドレスを含む所定の記録単位から開始するように、前記書込手段を制御することを特徴とする請求項２に記載の情報記録装置。
【請求項６】
前記制御手段は、前記所定量の第１緩衝用データを前記第１記録層に書き込んだ後に、前記準対応アドレスをサーチし、前記サーチされた準対応アドレスに基づいて、前記所定量の第２緩衝用データを書き込むように、前記書込手段を制御することを特徴とする請求項５に記載の情報記録装置。
【請求項７】
前記制御手段は、前記所定量の第２緩衝用データの前記第２記録層への書き込みを、前記第２記録層の緩衝用エリアの一部における、最初に認識されるアドレスを含む所定記録単位から開始するように、前記書込手段を制御することを特徴とする請求項２に記載の情報記録装置。
【請求項８】
前記制御手段は、前記最初に認識されるアドレスを、前記第１及び第２記録層の少なくとも一方における所定領域に書き込むように、前記書込手段を制御することを特徴とする請求項７に記載の情報記録装置。
【請求項９】
前記制御手段は、前記第１記録層の緩衝用エリアの一部の記録を終了した最後のアドレスを、前記第１及び第２記録層の少なくとも一方における所定領域に書き込むように、前記書込手段を制御することを特徴とする請求項７に記載の情報記録装置。
【請求項１０】
前記制御手段は、前記第２記録層への前記第２部分の書き込みが完了した後に、前記第１緩衝エリアの他部を埋めるべく前記第１緩衝用データを更に書き足すと共に前記第２緩衝エリアの他部を埋めるべく前記第２緩衝用データを更に書き足すように、前記書込手段を制御することを特徴とする請求項１に記載の情報記録装置。
【請求項１１】
前記書込手段は、レーザ光を照射することによって光学的に前記第１及び第２部分を書込可能に構成されており、
前記第２記録層は、前記レーザ光の照射方向から見て前記第１記録層よりも奥側に位置しており、
前記制御手段は、前記層間ジャンプとして、前記第１記録層から前記第２記録層への層間フォーカスジャンプを行うように前記書込手段を制御することを特徴とする請求項１に記載の情報記録装置。
【請求項１２】
少なくともペアとなる第１及び第２記録層が積層されてなると共に該第１及び第２記録層に対する記録又は再生位置が未記録エリアへ外れることを防止するための緩衝用エリアを前記第１及び第２記録層の記録エリアに隣接した位置に配置したディスク状の情報記録媒体に対して、記録すべき情報のうち第１部分を、前記情報記録媒体の内周側及び外周側のうち一方側から他方側へ向かう第１トラックパスに沿って前記第１記録層に書き込み可能であり、記録方向を折り返して前記記録すべき情報のうち第２部分を、前記他方側から前記一方側へ向かう第２トラックパスに沿って前記第２記録層に書き込み可能である書込手段を備えた情報記録装置における情報記録方法であって、
（Ｉ）前記第１トラックパスに沿って、前記第１部分を前記第１記録層に書き込み、続いて、前記第１記録層の緩衝用エリアの一部において前記第１トラックパスに沿って所定量の第１緩衝用データを前記第１記録層に書き込むと共に前記第１記録層から前記第２記録層への層間ジャンプを行ない、（ＩＩ）その後、前記第２記録層の緩衝用エリアの一部において前記第２トラックパスに沿って所定量の第２緩衝用データを前記第２記録層に書き込み、続いて、前記第２トラックパスに沿って、前記第２部分を前記第２記録層に書き込むように、前記書込手段を制御する制御工程を備えたことを特徴とする情報記録方法。
【請求項１３】
請求項１に記載の情報記録装置に備えられたコンピュータを制御する記録制御用のコンピュータプログラムであって、該コンピュータを、前記制御手段及び前記書込手段として機能させることを特徴とする記録制御用のコンピュータプログラム。
【発明の詳細な説明】
【技術分野】
【０００１】
本発明は、例えばＤＶＤレコーダ等の情報記録装置及び方法、並びにコンピュータプログラムの技術分野に関する。
【背景技術】
【０００２】
例えば、ＣＤ、ＤＶＤ等の情報記録媒体では、特許文献１、２等に記載されているように、同一基板上に複数の記録層が積層されてなる多層型若しくはデュアルレイヤ又はマルチプルレイヤ型の光ディスク等の情報記録媒体も開発されている。そして、このようなデユアルレイヤ型、即ち、二層型の光ディスクを記録する、ＣＤレコーダ等の情報記録装置では、レーザ光の照射側から見て最も手前側に位置する記録層（本願では適宜「Ｌ０層」と称する）に対して記録用のレーザ光を集光することで、Ｌ０層に対して情報を加熱などによる非可逆変化記録方式や書換え可能方式で記録し、Ｌ０層等を介して、レーザ光の照射側から見てＬ０層の奥側に位置する記録層（本願では適宜「Ｌ１層」と称する）に対して該レーザ光を集光することで、Ｌ１層に対して情報を加熱などによる非可逆変化記録方式や書換え可能方式で記録することになる。【０００３】
他方、これらＬ０層及びＬ１層に対して“オポジット方式”等によって記録又は再生を行う技術も開示されている。ここに、“オポジット方式”とは、例えば二つの記録層の間でトラックパスの方向が逆向きである記録又は再生方式である。【０００４】
このような、ＤＶＤ−Ｒ等の追記型光ディスクのリンク（リンキング）では、３２ＫＢと２ＫＢ、ロスレスリンキングの３種類のリンキングサイズが定義されている。リンキングサイズが３２ＫＢの場合は、例えば、１ＥＣＣブロック単位で記録が完了した場合には、ＥＣＣブロックの先頭のセクタの第２シンクフレーム以内においてリンクのための情報が記録され、次に、３２ＫＢのリンキングロスエリアが設けられる。次に、３２ＫＢのリンキングロスエリア一杯になるまでパディングが行われ、ＮＷＡ（Next Writable Address）からユーザデータの追記が開始される。このように、リンキングサイズが３２ＫＢの場合においては、オーバーヘッドはより大きくなるが、ＥＣＣブロック単位での誤り訂正は、リンクの影響を受けないので、高品質であるという特徴がある。【０００５】
他方、２ＫＢのリンキングロス領域一杯になるまでパディングが行われるリンキングサイズが２ＫＢの場合においては、オーバーヘッドをより少なくさせることができるが、ＥＣＣブロック単位での誤り訂正の能力は低下してしまうという特徴がある。加えて、ロスレスリンキングの場合は、リンキングロスエリアのデータの欠落をエラー訂正能力で補うもので、２ＫＢリンキングと同様に誤り訂正の能力が低下してしまう。【０００６】
【特許文献１】特開２０００−３１１３４６号公報
【特許文献２】特開２００１−２３２３７号公報
【発明の開示】
【発明が解決しようとする課題】
【０００７】
しかしながら、例えば、２層型の光ディスクの記録動作において、緩衝用エリアではなく、例えば、コンテンツ等の実データが書き込みされたＬ０層及びＬ１層のデータエリアにおいて、層間ジャンプ（層間切換）を行った場合、２層間に貼り合わせずれ誤差等があるため、所望の位置へアクセスするためには、光ピックアップからのレーザ光によるサーチにおいて比較的に長い時間が必要である。或いは、例えば、ファイナライズ処理時に、Ｌ０層及びＬ１層の緩衝用エリアに緩衝用データを書き込む時、Ｌ０層及びＬ１層のデータエリアに記録された実データに対して、直接的にリンクが生じてしまい、リンクされた実データの信号品質の劣化を生じさせてしまうという技術的な問題点がある。【０００８】
そこで本発明は、例えば上記問題点に鑑みなされたものであり、例えば多層型の情報記録媒体における各記録層において、効率的に情報を記録することが可能であると共に、記録時間を短縮させることが可能である情報記録装置及び方法、並びにコンピュータをこのような情報記録装置として機能させるコンピュータプログラムを提供することを課題とする。
【課題を解決するための手段】
【０００９】
本発明の請求項１に記載の情報記録装置は上記課題を解決するために、少なくともペアとなる第１及び第２記録層が積層されてなると共に該第１及び第２記録層に対する記録又は再生位置が未記録エリアへ外れることを防止するための緩衝用エリアを前記第１及び第２記録層の記録エリアに隣接する位置に配置したディスク状の情報記録媒体に対して、記録すべき情報のうち第１部分を、前記情報記録媒体の内周側及び外周側のうち一方側から他方側へ向かう第１トラックパスに沿って前記第１記録層に書き込み可能であり、記録方向を折り返して前記記録すべき情報のうち第２部分を、前記他方側から前記一方側へ向かう第２トラックパスに沿って前記第２記録層に書き込み可能である書込手段と、（Ｉ）前記第１トラックパスに沿って、前記第１部分を前記第１記録層に書き込み、続いて、前記第１記録層の緩衝用エリアの一部において前記第１トラックパスに沿って所定量の第１緩衝用データを前記第１記録層に書き込むと共に前記第１記録層から前記第２記録層への層間ジャンプを行ない、（ＩＩ）その後、前記第２記録層の緩衝用エリアの一部において前記第２トラックパスに沿って所定量の第２緩衝用データを前記第２記録層に書き込み、続いて、前記第２トラックパスに沿って、前記第２部分を前記第２記録層に書き込むように、前記書込手段を制御する制御手段とを備える。
【００１１】
本発明の請求項１２に記載の情報記録方法は上記課題を解決するために、少なくともペアとなる第１及び第２記録層が積層されてなると共に該第１及び第２記録層に対する記録又は再生位置が未記録エリアへ外れることを防止するための緩衝用エリアを前記第１及び第２記録層の記録エリアに隣接した位置に配置したディスク状の情報記録媒体に対して、記録すべき情報のうち第１部分を、前記情報記録媒体の内周側及び外周側のうち一方側から他方側へ向かう第１トラックパスに沿って前記第１記録層に書き込み可能であり、記録方向を折り返して前記記録すべき情報のうち第２部分を、前記他方側から前記一方側へ向かう第２トラックパスに沿って前記第２記録層に書き込み可能である書込手段を備えた情報記録装置における情報記録方法であって、（Ｉ）前記第１トラックパスに沿って、前記第１部分を前記第１記録層に書き込み、続いて、前記第１記録層の緩衝用エリアの一部において前記第１トラックパスに沿って所定量の第１緩衝用データを前記第１記録層に書き込むと共に前記第１記録層から前記第２記録層への層間ジャンプを行ない、（ＩＩ）その後、前記第２記録層の緩衝用エリアの一部において前記第２トラックパスに沿って所定量の第２緩衝用データを前記第２記録層に書き込み、続いて、前記第２トラックパスに沿って、前記第２部分を前記第２記録層に書き込むように、前記書込手段を制御する制御工程を備える。
【００１３】
本発明の請求項１３に記載のコンピュータプログラムは上記課題を解決するために、請求項１に記載の情報記録装置に備えられたコンピュータを制御する記録制御用のコンピュータプログラムであって、該コンピュータを、前記制御手段及び前記書込手段として機能させる。
【図面の簡単な説明】
【００１４】
【図１】本発明の情報記録装置の第１実施例の記録対象となる情報記録媒体に係る複数の記録領域を有する光ディスクの基本構造を示した概略平面図（図１（ａ））及び、該光ディスクの概略断面図と、これに対応付けられた、その半径方向における記録領域構造の図式的概念図（図１（ｂ））である。
【図２】本発明の情報記録装置の第１実施例に係る情報記録再生装置のブロック図である。
【図３】本発明の情報記録装置の第１実施例の記録対象となる情報記録媒体に係る２層型光ディスクのデータ構造及び該光ディスクの記録領域におけるＥＣＣブロックを構成する物理的セクタ番号並びに該光ディスクのオポジット方式による記録又は再生方法を示した概念的グラフ図である。
【図４】本発明の情報記録装置の第１実施例に係る情報記録再生装置の動作概要を示した図式的概念図である。
【図５】本発明の情報記録装置の第１実施例に係る情報記録再生装置による光ディスクのミドルエリアに緩衝用データを書き込むと共に、層間ジャンプを行う動作原理を示した図式的概念図（図５（ａ））及び、層間ジャンプの際のセクタ番号の推移を示した図式的グラフ図（図５（ｂ））である。
【図６】本発明の情報記録装置の第１実施例に係る情報記録再生装置によるセクタ内のリンキンングポジションにおけるトラックパスに沿ったリンクの構造の一具体例を示した図式的構造図（図６（ａ））及び、このリンクが行われる位置を示した図式的概念図（図６（ｂ））である。
【図７】本発明の情報記録装置の第１実施例に係る情報記録再生装置によるセクタ内のリンキンングポジションにおけるトラックパスとは反対方向のリンクの構造の一具体例を示した図式的構造図（図７（ａ））及び、このリンクが行われる位置を示した図式的概念図（図７（ｂ））である。
【図８】比較例の一具体例に係る情報記録再生装置の動作概要を示した図式的概念図（図８（ａ））、及び、比較例の他の一具体例に係る情報記録再生装置の動作概要を示した図式的概念図（図８（ｂ））である。
【図９】本発明の情報記録装置の第２実施例に係る情報記録再生装置による光ディスクのミドルエリアに緩衝用データを書き込むと共に、層間ジャンプを行う動作原理を示した図式的概念図（図９（ａ））及び、層間ジャンプの際のセクタ番号の推移を示した図式的グラフ図（図９（ｂ））である。
【図１０】本発明の情報記録装置の第３実施例に係る情報記録再生装置による光ディスクのミドルエリアに緩衝用データを書き込むと共に、層間ジャンプを行う動作原理を示した図式的概念図（図１０（ａ））及び、層間ジャンプの際のセクタ番号の推移を示した図式的グラフ図（図１０（ｂ））である。
【符号の説明】
【００１５】
１…センターホール、１０…トラック、１１…ＥＣＣブロック、１００…光ディスク、１０１…リードインエリア、１０２−０（１０２−１）…データエリア、１０３…リードアウトエリア、１０４−０（１０４−１）…ミドルエリア、１０４ａ−０…第１ミドルエリア、１０４ａ−１…第２ミドルエリア、１０６…透明基板、３００…情報記録再生装置、３０６…データ入出力制御手段、３０７…操作制御手段、３１０…操作ボタン、３１１…表示パネル、３５１…スピンドルモータ、３５２…光ピックアップ、３５３…信号記録再生手段、３５４…ＣＰＵ（ドライブ制御手段）、３５５…メモリ、ＬＢ…レーザ光、Ｒ１、Ｒ２、Ｒ３、Ｒ２１及びＲ３１…リンク部、ＳＹ０及びＳＹ５…同期信号
【発明を実施するための最良の形態】
【００１６】
（情報記録装置に係る実施形態）
以下、本発明の実施形態に係る情報記録装置について説明する。【００１７】
本発明の情報記録装置に係る実施形態は、少なくともペアとなる第１及び第２記録層が積層されてなると共に該第１及び第２記録層に対する記録又は再生位置が未記録エリアへ外れることを防止するための緩衝用エリアを前記第１及び第２記録層の記録エリアに隣接する位置に配置したディスク状の情報記録媒体に対して、記録すべき情報のうち第１部分を、前記情報記録媒体の内周側及び外周側のうち一方側から他方側へ向かう第１トラックパスに沿って前記第１記録層に書き込み可能であり、記録方向を折り返して前記記録すべき情報のうち第２部分を、前記他方側から前記一方側へ向かう第２トラックパスに沿って前記第２記録層に書き込み可能である書込手段と、（Ｉ）前記第１トラックパスに沿って、前記第１部分を前記第１記録層に書き込み、続いて、前記第１記録層の緩衝用エリアの一部において前記第１トラックパスに沿って所定量の第１緩衝用データを前記第１記録層に書き込むと共に前記第１記録層から前記第２記録層への層間ジャンプを行ない、（ＩＩ）その後、前記第２記録層の緩衝用エリアの一部において前記第２トラックパスに沿って所定量の第２緩衝用データを前記第２記録層に書き込み、続いて、前記第２トラックパスに沿って、前記第２部分を前記第２記録層に書き込むように、前記書込手段を制御する制御手段とを備える。【００１８】
本発明の情報記録装置に係る実施形態によれば、対象となるディスク状の情報記録媒体は、例えば、少なくともペアとなる第１記録層（例えば、Ｌ０層）及び第２記録層（例えば、Ｌ１層）が積層されてなると共に第１記録層から第２記録層への記録又は再生位置の層間ジャンプを行なうための、例えば、ミドルエリア等の緩衝用エリアを第１及び第２記録層の所定部分に有する。ここに本発明に係る「緩衝用エリア」は、データ等の情報が記録される記録エリアに隣接する位置に配置されると共に、第１及び第２記録層に対する記録又は再生位置が未記録エリアへ外れることを防止する基本機能を有するが、層間ジャンプの際に記録又は再生位置が未記録エリアに外れることを防止する、言わば“ジャンプ緩衝用エリア”としての機能も有する。また本発明に係る「ペアとなる」とは、第１及び第２記録層におけるアドレス情報が、補数関係等の何らかの物理的又は論理的な対応付けを保持することである。【００１９】
以上のように構成されているため当該情報記録媒体への記録時には、例えば、ＣＰＵ等の制御手段の制御下で、例えば、光ピックアップ等の書込手段によって、記録すべき情報のうち第１部分が、ディスク状の情報記録媒体の内周側及び外周側のうち一方側から他方側へ向かう第１トラックパスに沿って第１記録層に記録され、続いて緩衝用エリアで層間ジャンプが行なわれると共に、例えば、オポジット方式では、記録方向を折り返して記録すべき情報のうち第２部分が、他方側から一方側へ向かう第２トラックパスに沿って第２記録層に記録される。【００２０】
本実施形態では、特に、制御手段の制御下で、書込手段は、所定量の第１及び第２緩衝用データを第１及び第２記録層の緩衝用エリアの一部に書き込む。より具体的には、第１記録層において、コンテンツ等の第１部分が記録されると共に引き続いて、本発明に係る所定量の第１緩衝用データが第１記録層の緩衝用エリアの一部において書き込まれる。ここに、所定量の緩衝用データとは、所定の情報量を持った実データとは異なる緩衝のためのダミーデータである。そして、この第１記録層の緩衝用エリアの一部から第２記録層への層間ジャンプを経て、本発明に係る所定量の第２緩衝用データが第２記録層の緩衝用エリアの一部において書き込まれると共に引き続いて、第２記録層において、第２部分が記録される。【００２１】
従って、本実施形態によれば、制御手段の制御下で、書込手段による記録動作時に、実データである第１及び第２部分に対してはリンクが生じることはなく、第１及び第２緩衝用エリアの一部に書き込まれた第１及び第２緩衝用データに対してリンクが生じるので、記録又は再生動作時に、実データである第１及び第２部分の層間ジャンプによる信号品質の劣化を生じさせてしまうことは殆ど又は完全になくすことが可能である。加えて、記録動作時の層間ジャンプの際に、第１及び第２記録層の緩衝用エリア全体に対してではなく、所定量の第１及び第２緩衝用データが緩衝用エリアの一部に書き込まれるため、層間ジャンプ全体に掛かる時間を大幅に短縮することが可能となる。【００２２】
仮に、緩衝用エリアではなく、例えば、コンテンツ等の実データである第１及び第２部分が書き込みされた第１及び第２記録層において、層間ジャンプを行った場合、例えば、ファイナライズ処理時に、第１及び第２記録層に第１及び第２緩衝用データを書き込む時に、第１記録層においては、実データである第１部分に対して、第１トラックパスに沿ったリンクが生じてしまい、リンクされた実データの信号品質の劣化を生じさせてしまう。他方、第２記録層においても、同様にして、実データである第２部分に対して、第２トラックパスとは反対方向のリンクが生じてしまい、リンクされた実データの信号品質の劣化を生じさせてしまう。【００２３】
これに対して、本実施形態によれば、制御手段の制御下で、書込手段による記録動作時に、実データである第１及び第２部分に対してはリンクが生じることはなく、第１及び第２緩衝用エリアの一部に書き込まれた第１及び第２緩衝用データに対してリンクが生じるので、記録又は再生動作時に、実データである第１及び第２部分が層間ジャンプによる信号品質の劣化を生じさせてしまうことは殆ど又は完全になくすことが可能である。【００２４】
或いは、仮に、層間ジャンプの際に、第１及び第２記録層の緩衝用エリア全体に緩衝用データを書き込んだ場合、実データである第１及び第２部分に対してリンクが生じることはないが、層間ジャンプ全体に掛かる時間を長くさせてしまう。【００２５】
これに対して、本実施形態によれば、記録動作時の層間ジャンプの際に、第１及び第２記録層の緩衝用エリア全体に対してではなく、所定量の第１及び第２緩衝用データが緩衝用エリアに部分的に書き込まれるため、層間ジャンプ全体に掛かる時間を大幅に短縮することが可能となる。【００２６】
本発明の情報記録装置に係る実施形態の一態様では、前記制御手段は、前記所定量の第１緩衝用データの前記第１記録層への書き込みを、前記第１記録層の緩衝用エリアの一部において物理アドレスを含む所定記録単位で終了するように、前記書込手段を制御する。【００２７】
この態様によれば、制御手段の制御下で、書込手段は、所定量の第１緩衝用データの第１記録層への書き込みを、第１記録層の緩衝用エリアの一部において物理アドレスを含む所定記録単位で終了する。ここに、物理アドレスとは、具体的には、物理的セクタ番号である。また、所定記録単位とは、具体的には、所定の大きさの情報量を持ったＥＣＣブロックである。【００２８】
この態様では、前記制御手段は、前記所定量の第２緩衝用データの前記第２記録層への書き込みを、前記物理アドレスに対応する前記第２記録層の緩衝用エリアの一部における対応アドレスを含む所定記録単位から開始するように、前記書込手段を制御するように構成してもよい。【００２９】
このように構成すれば、制御手段の制御下で、書込手段は、所定量の第２緩衝用データの第２記録層への書き込みを、物理アドレスに対応する第２記録層の緩衝用エリアの一部における対応アドレスを含む所定記録単位から開始する。ここに、対応アドレスとは、第１記録層の緩衝用エリアの物理アドレスと補数関係にある位置情報である。よって、これらの物理アドレスと対応アドレスとは、論理的にも管理することが容易となる。【００３０】
この態様では、前記制御手段は、前記所定量の第１緩衝用データを前記第１記録層に書き込んだ後に、前記対応アドレスをサーチし、前記サーチされた対応アドレスに基づいて、前記所定量の第２緩衝用データを書き込むように、前記書込手段を制御するように構成してもよい。【００３１】
このように構成すれば、制御手段の制御下で、書込手段は、所望の対応アドレスをサーチすることでより的確な層間ジャンプが可能となる。【００３２】
この態様では、前記制御手段は、前記所定量の第２緩衝用データの前記第２記録層への書き込みを、前記物理アドレスに対応する前記第２記録層の緩衝用エリアの一部における対応アドレスよりも前記一方側に位置する筈の準対応アドレスを含む所定の記録単位から開始するように、前記書込手段を制御するように構成してもよい。【００３３】
このように構成すれば、制御手段の制御下で、書込手段は、例えば、サーチされた対応アドレスより“１”ＥＣＣブロック（１６セクタ）だけ内周側に位置する準対応アドレスから書き込みを開始する。よって、第１及び第２トラックパスに沿った円滑的且つ効率的な記録動作を行うことが可能となる。【００３４】
この態様では、前記制御手段は、前記所定量の第１緩衝用データを前記第１記録層に書き込んだ後に、前記準対応アドレスをサーチし、前記サーチされた準対応アドレスに基づいて、前記所定量の第２緩衝用データを書き込むように、前記書込手段を制御するように構成してもよい。【００３５】
このように構成すれば、制御手段の制御下で、書込手段は、所望の準対応アドレスをサーチすることでより迅速な層間ジャンプが可能となる。【００３６】
この態様では、前記制御手段は、前記所定量の第２緩衝用データの前記第２記録層への書き込みを、前記第２記録層の緩衝用エリアの一部における、最初に認識されるアドレスを含む所定記録単位から開始するように、前記書込手段を制御するように構成してもよい。【００３７】
このように構成すれば、制御手段の制御下で、書込手段は、所定量の第２緩衝用データの第２記録層への書き込みを、第２記録層の緩衝用エリアの一部における、最初に認識されるアドレスを含む所定記録単位から開始する。よって、サーチの動作が不要となるのでより迅速且つ効率的な記録動作を行うことが可能となる。【００３８】
この態様では、前記制御手段は、前記最初に認識されるアドレスを、前記第１及び第２記録層の少なくとも一方における所定領域（ＲＭＡ、ミドルエリア等）に書き込むように、前記書込手段を制御するように構成してもよい。【００３９】
このように構成すれば、制御手段の制御下で、書込手段は、最初に認識されるアドレスを、第１及び第２記録層の少なくとも一方における例えば、ＲＭＡ（Recording Management Area）又はミドルエリア等の所定領域に書き込む。よって、事前に、所定領域に書き込みされた最初に認識されるアドレスを取得することで、迅速であり、的確であると共に効率的な記録動作を行うことが可能となる。【００４０】
この態様では、前記制御手段は、前記第１記録層の緩衝用エリアの一部の記録を終了した最後のアドレスを、前記第１及び第２記録層の少なくとも一方における所定領域（ＲＭＡ、ミドルエリア等）に書き込むように、前記書込手段を制御するように構成してもよい。【００４１】
このように構成すれば、制御手段の制御下で、書込手段は、最後のアドレスを、第１及び第２記録層の少なくとも一方における例えば、ＲＭＡ又はミドルエリア等の所定領域に書き込む。よって、事前に、第１記録層の緩衝用エリアの一部の記録を終了した最後のアドレスを取得することで、迅速であり、的確であると共に効率的な記録動作を行うことが可能となる。【００４２】
本発明の情報記録装置に係る実施形態の他の態様では、前記制御手段は、前記第２記録層への前記第２部分の書き込みが完了した後に、前記第１緩衝エリアの他部を埋めるべく前記第１緩衝用データを更に書き足すと共に前記第２緩衝エリアの他部を埋めるべく前記第２緩衝用データを更に書き足すように、前記書込手段を制御する。【００４３】
この態様によれば、制御手段の制御下で、書込手段は、例えば、ファイナライズ処理時において、第２記録層への第２部分の書き込みが完了した後に、第１緩衝エリアの他部を埋めるべく第１緩衝用データを更に書き足すと共に第２緩衝エリアの他部を埋めるべく第２緩衝用データを更に書き足す。よって、ＤＶＤ−ＲＯＭとの互換性を保持することが可能となる。【００４６】
本発明の情報記録装置に係る実施形態の他の態様では、前記書込手段は、レーザ光を照射することによって光学的に前記第１及び第２部分を書込可能に構成されており、前記第２記録層は、前記レーザ光の照射方向から見て前記第１記録層よりも奥側に位置しており、前記制御手段は、前記層間ジャンプとして、前記第１記録層から前記第２記録層への層間フォーカスジャンプを行うように前記書込手段を制御する。【００４７】
この態様によれば、例えば、デュアルレイヤ型の追記型光ディスクに対して、オポジット方式を採用した記録動作において、制御手段の制御下で、書込手段の例えば、層間フォーカスジャンプ、即ち、２層間における焦点調節のための動作の迅速性及び信頼性を高めることが可能となる。【００５１】
（情報記録方法に係る実施形態）
以下、本発明の実施形態に係る情報記録方法について説明する。【００５２】
本発明の情報記録方法に係る実施形態は、少なくともペアとなる第１及び第２記録層が積層されてなると共に該第１及び第２記録層に対する記録又は再生位置が未記録エリアへ外れることを防止するための緩衝用エリアを前記第１及び第２記録層の記録エリアに隣接した位置に配置したディスク状の情報記録媒体に対して、記録すべき情報のうち第１部分を、前記情報記録媒体の内周側及び外周側のうち一方側から他方側へ向かう第１トラックパスに沿って前記第１記録層に書き込み可能であり、記録方向を折り返して前記記録すべき情報のうち第２部分を、前記他方側から前記一方側へ向かう第２トラックパスに沿って前記第２記録層に書き込み可能である書込手段を備えた情報記録装置における情報記録方法であって、（Ｉ）前記第１トラックパスに沿って、前記第１部分を前記第１記録層に書き込み、続いて、前記第１記録層の緩衝用エリアの一部において前記第１トラックパスに沿って所定量の第１緩衝用データを前記第１記録層に書き込むと共に前記第１記録層から前記第２記録層への層間ジャンプを行ない、（ＩＩ）その後、前記第２記録層の緩衝用エリアの一部において前記第２トラックパスに沿って所定量の第２緩衝用データを前記第２記録層に書き込み、続いて、前記第２トラックパスに沿って、前記第２部分を前記第２記録層に書き込むように、前記書込手段を制御する制御工程を備える。【００５３】
本発明の情報記録方法に係る実施形態によれば、上述した本発明の情報記録装置に係る実施形態の場合と同様に、制御工程の制御下で、書込手段による記録動作時に、実データである第１及び第２部分に対してはリンクが生じることはなく、第１及び第２緩衝用エリアの一部に書き込まれた第１及び第２緩衝用データに対してリンクが生じるので、記録又は再生動作時に、実データである第１及び第２部分の層間ジャンプによる信号品質の劣化を生じさせてしまうことは殆ど又は完全になくすことが可能である。加えて、記録動作時の層間ジャンプの際に、第１及び第２記録層の緩衝用エリア全体に対してではなく、所定量の第１及び第２緩衝用データが緩衝用エリアの一部に書き込まれるため、層間ジャンプ全体に掛かる時間を大幅に短縮することが可能となる。【００５４】
尚、上述した本発明の情報記録装置に係る実施形態における各種態様に対応して、本発明に係る情報記録方法の実施形態も各種態様を採ることが可能である。【００５８】
（コンピュータプログラムに係る実施形態）
以下、本発明の実施形態に係るコンピュータプログラムについて説明する。【００５９】
本発明のコンピュータプログラムに係る実施形態は、上述した本発明の情報記録装置に
係る実施形態（但し、その各種態様を含む）に備えられたコンピュータを制御する記録制
御用のコンピュータプログラムであって、該コンピュータを、前記制御手段及び前記書込
手段として機能させる。
【００６０】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、例えば、通信手段等を介してコンピュータにダウンロードさせた後に実行させれば、上述した本発明の情報記録装置に係る実施形態を比較的簡単に実現できる。【００６１】
尚、上述した本発明の情報記録装置に係る実施形態における各種態様に対応して、本発明のコンピュータプログラムに係る実施形態も各種態様を採ることが可能である。【００６２】
コンピュータ読取可能な媒体内のコンピュータプログラム製品に係る実施形態は、上述した本発明の情報記録装置に係る実施形態（但し、その各種態様を含む）に備えられたコンピュータにより実行可能なプログラム命令を明白に具現化し、該コンピュータを、前記書込手段及び前記制御手段として機能させる。
【００６３】
コンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の前記書込手段及び前記制御手段を比較的容易に実現可能となる。更に具体的には、当該コンピュータプログラム製品は、上述した本発明の前記書込手段及び前記制御手段として機能させるコンピュータ読取可能なコード（或いはコンピュータ読取可能な命令）から構成されてもよい。
【００６４】
本実施形態のこのような作用及び他の利得は次に説明する実施例から明らかにされる。【００６５】
以上説明したように、本発明の情報記録装置及び方法に係る実施形態によれば、書込手段、並びに制御手段及び工程を備えているので、記録動作時に、実データである第１及び第２部分が層間ジャンプによる信号品質の劣化を生じさせてしまうことは殆ど又は完全になくすことが可能である。また、本発明のコンピュータプログラムに係る実施形態によれば、コンピュータを上述した本発明の情報記録装置に係る実施形態として機能させるので、記録動作時に、実データである第１及び第２部分が層間ジャンプによる信号品質の劣化を生じさせてしまうことは殆ど又は完全になくすことが可能である。
【実施例】
【００６６】
（情報記録装置の第１実施例）
（情報記録媒体）
次に、図1から図８を参照して、本発明の情報記録装置の第１実施例の構成及び動作、並びに本発明の情報記録装置の記録対象となる情報記録媒体について詳細に説明する。【００６７】
先ず図１を参照して、本発明の情報記録装置の第１実施例の記録対象となる情報記録媒体に係る光ディスクの基本構造について説明する。ここに、図１（ａ）は、本発明の情報記録媒体の第１実施例に係る複数の記録領域を有する光ディスクの基本構造を示した概略平面図であり、図１（ｂ）は、該光ディスクの概略断面図と、これに対応付けられた、その半径方向における記録領域構造の図式的概念図である。【００６８】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１、データエリア１０２並びにリードアウトエリア１０３又はミドルエリア１０４が設けられている。そして、光ディスク１００の例えば、透明基板１０６に、記録層等が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なプリフォーマットアドレスによるデータ管理単位である。【００６９】
尚、本発明は、このような三つのエリアを有する光ディスクには特に限定されない。例えば、リードインエリア１０１、リードアウトエリア１０３又はミドルエリア１０４が存在せずとも、以下に説明するデータ構造等の構築は可能である。また、後述するように、リードインエリア１０１、リードアウト１０３又はミドルエリア１０４は更に細分化された構成であってもよい。【００７０】
特に、本実施例に係る光ディスク１００は、図１（ｂ）に示されるように、例えば、透明基板１０６に、後述される本発明に係る第１及び第２記録層の一例を構成するＬ０層及びＬ１層が積層された構造をしている。このような二層型の光ディスク１００の記録再生時には、図１（ｂ）中、上側から下側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤーに限定されるものではなく、２層両面、即ちデュアルレイヤーダブルサイドであってもよい。更に、上述の如く２層の記録層を有する光ディスクに限られることなく、３層以上の多層型の光ディスクであってもよい。【００７１】
尚、２層型光ディスクにおけるオポジット方式による記録再生手順及び各層におけるデータ構造については、後述される。また、説明の便宜上、図１（ｂ）においては、レーザ光ＬＢは、後述される図３等とは異なり、図中、上側から下側へ向かって照射されている。【００７２】
（情報記録装置）
次に、図２を参照して、本発明の情報記録装置の第１実施例に係る情報記録再生装置３００の構成について説明する。ここに、図２は、本発明の情報記録装置の第１実施例に係る情報記録再生装置のブロック図である。尚、情報記録再生装置３００は、光ディスク１００に記録データを記録する機能と、光ディスク１００に記録された記録データを再生する機能とを備える。【００７３】
図２を参照して情報記録再生装置３００の内部構成を説明する。情報記録再生装置３００は、ＣＰＵ（Central Processing Unit）の制御下で、光ディスク１００に情報を記録すると共に、光ディスク１００に記録された情報を読み取る装置である。【００７４】
情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、操作制御手段３０７、操作ボタン３１０、表示パネル３１１、及びバス３５７を備えて構成されている。【００７５】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボを受けつつ所定速度で光ディスク１００を回転及び停止させるように構成されている。【００７６】
光ピックアップ３５２は光ディスク１００への記録再生を行うもので、半導体レーザ装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【００７７】
信号記録再生手段３５３は、スピンドルモータ３５１と光ピックアップ３５２を制御することで光ディスク１００に対して記録再生を行う。より具体的には、信号記録再生手段３５３は、例えば、レーザダイオード（ＬＤ）ドライバ及びヘッドアンプ等によって構成されている。レーザダイオードドライバ（ＬＤドライバ）は、光ピックアップ３５２内に設けられた図示しない半導体レーザを駆動する。ヘッドアンプは、光ピックアップ３５２の出力信号、即ち、光ビームの反射光を増幅し、該増幅した信号を出力する。より詳細には、信号記録再生手段３５３は、ＯＰＣ（Optimum Power Calibration）処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。特に、信号記録再生手段３５３は、光ピックアップ３５２と共に、本発明に係る「書込手段」、「読取手段」及び「再生手段」の一例を構成する。【００７８】
メモリ３５５は、記録再生データのバッファ領域や、信号記録再生手段３５３で使用出来るデータに変換する時の中間バッファとして使用される領域など情報記録再生装置３００におけるデータ処理全般及びＯＰＣ処理において使用される。また、メモリ３５５はこれらレコーダ機器としての動作を行うためのプログラム、即ちファームウェアが格納されるＲＯＭ領域と、映像データの圧縮伸張で用いるバッファやプログラム動作に必要な変数が格納されるＲＡＭ領域などから構成される。【００７９】
ＣＰＵ（ドライブ制御手段）３５４は、信号記録再生手段３５３、メモリ３５５と、バス３５７を介して接続され、各手段に指示を行うことで、情報記録再生装置３００全体の制御を行う。通常、ＣＰＵ３５４が動作するためのソフトウェア又はファームウェアは、メモリ３５５に格納されている。特に、ＣＰＵ３５４は、本発明に係る「制御手段」の一例を構成する。【００８０】
データ入出力制御手段３０６は、情報記録再生装置３００に対する外部からデータ入出力を制御し、メモリ３５５上のデータバッファへの格納及び取り出しを行う。データの入出力が映像信号である場合には、データ入力時には外部から受け取ったデータをＭＰＥＧフォーマットに圧縮（エンコード）してからメモリ３５５へ出力し、データ出力時には、メモリ３５５から受け取ったＭＰＥＧフォーマットのデータを伸張（デコード）してから外部へ出力する。【００８１】
操作制御手段３０７は情報記録再生装置３００に対する動作指示受付と表示を行うもので、記録又は再生といった操作ボタン３１０による指示をＣＰＵ３５４に伝え、記録中や再生中といった情報記録再生装置３００の動作状態を蛍光管などの表示パネル３１１に出力する。特に、本実施例では、操作制御手段３０７は、本発明に係るホストコンピュータとして、図示しないＣＰＵ及びメモリ等によって構成されていてもよい。【００８２】
以上説明した、情報記録再生装置３００の一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３５５に格納されたプログラムをＣＰＵ３５４で実行させることでレコーダ機器としての動作を行っている。【００８３】
次に、図３を参照して、本発明の情報記録装置の第１実施例の記録対象となる情報記録媒体に係る２層型光ディスクのデータ構造及び該光ディスクの記録領域におけるＥＣＣブロックを構成する物理的セクタ番号並びに該光ディスクのオポジット方式による記録又は再生手順について説明する。ここに、物理的セクタ番号（以下適宜、セクタ番号と称す。）とは、光ディスクの記録領域における絶対的な物理的アドレスを示した位置情報である。また、図３は、本発明の情報記録装置の第１実施例の記録対象となる情報記録媒体に係る２層型光ディスクのデータ構造及び該光ディスクの記録領域におけるＥＣＣブロックを構成する物理的セクタ番号並びに該光ディスクのオポジット方式による記録又は再生方法を示した概念的グラフ図である。縦軸は、１６進数で表現されたセクタ番号を示し、横軸は、光ディスクの半径方向の相対的な位置を示す。【００８４】
図３に示されるように、本発明の情報記録装置の第１実施例の記録対象となる２層型光ディスク１００は、前述した透明基板と該透明基板に積層された２層の記録層、即ち、Ｌ０層とＬ１層とを備えて構成されている。【００８５】
具体的には、Ｌ０層には、内周側から外周側にかけて、リードインエリア１０１−０、データエリア１０２−０及びミドルエリア１０４−０が設けられている。このリードインエリア１０１−０には、ＯＰＣ（Optimum Power Calibration）処理のためのＰＣ（Power Calibration）エリアＰＣＡ及び記録管理情報が記録されているＲＭ（Recording Management）エリアＲＭＡ等が設けられている。【００８６】
他方、Ｌ１層には、外周側から内周側にかけて、ミドルエリア１０４−１、データエリア１０２−１及びリードアウト１０３−１が設けられている。このリードアウトエリア１０３−１にも、図示しないＯＰＣエリア等が設けられていてもよい。【００８７】
以上のように２層型光ディスク１００は構成されているので、該光ディスク１００の記録又は再生の際には、本発明の情報記録装置の第１実施例に係る情報記録再生装置の図示しない光ピックアップによって、レーザ光ＬＢは、図示しない基板の側から、即ち、図３中の下側から上側に向けて照射され、その焦点距離等が制御されると共に、光ディスク１００の半径方向における移動距離及び方向が制御される。これにより、夫々の記録層にデータが記録され、又は、記録されたデータが再生される。【００８８】
特に、本発明の情報記録装置の第１実施例の記録対象となる情報記録媒体に係る２層型光ディスクの記録又は再生手順としてオポジット方式が採用されている。ここに、オポジット方式とは、より詳細には、２層型光ディスクの記録又は再生手順として、第１実施例に係る情報記録再生装置の光ピックアップが、Ｌ０層において、内周側から外周側へ向かって、即ち、図３中の矢印の右方向へ移動するのとは逆に、Ｌ１層においては、光ピックアップが外周側から内周側へ向かって、即ち、図３中の矢印の左方向へ移動することによって、２層型光ディスクにおける記録又は再生が行われる方式である。このオポジット方式では、Ｌ０層における記録又は再生が終了されると、Ｌ１層における記録又は再生が開始される時に、光ディスクの最外周にある光ピックアップが再度、最内周へ向かって移動する必要はなく、Ｌ０層からＬ１層への焦点距離だけを切り換えればよいため、Ｌ０層からＬ１層への切り換え時間がパラレル方式、即ち、２つの記録層の間でトラックパスの方向が同一である記録又は再生方式と比較して短いという利点があるため大容量のコンテンツ情報の記録には採用されている。【００８９】
具体的には、先ず、Ｌ０層において、光ピックアップがリードインエリア１０１−０、データエリア１０２−０及びミドルエリア１０４−０を内周側から外周側へ移動するにつれて光ディスク１００の記録領域におけるセクタ番号は増加していく。より具体的には、光ピックアップが、セクタ番号が“０２ＦＦＦＦｈ”のリードインエリア１０１−０の終了位置（図３中のＡ地点を参照）、セクタ番号が“０３００００ｈ”のデータエリア１０２−０の開始位置（図３中のＢ地点を参照）、セクタ番号が“１ＡＦＦＦＦｈ”のデータエリア１０２−０の終了位置（以下、適宜、Ｌ０層の「折り返し点」と称す：図３中のＣ地点を参照）に順次アクセスして、緩衝の役目を果たすミドルエリア１０４−０へと移動されることによって、Ｌ０層における記録又は再生が行われる。尚、本実施例において、“３００００ｈ”等の末尾の“ｈ”とは１６進数で表現されていることを示す。他方、Ｌ１層において、具体的には、光ピックアップがミドルエリア１０４−１、データエリア１０２−１及びリードアウトエリア１０３−１を外周側から内周側へ移動するにつれて光ディスク１００の記録領域におけるセクタ番号は増加していく。より具体的には、光ピックアップが、緩衝の役目を果たすミドルエリア１０４−１、セクタ番号が“Ｅ５００００ｈ”のデータエリア１０２−１の開始位置（以下、適宜、Ｌ１層の「折り返し地点」と称す：図３中のＤ地点を参照）、セクタ番号が“ＦＣＦＦＥＦｈ”のデータエリア１０２−１の終了位置（図３中のＥ地点を参照）に順次アクセスして、リードアウトエリア１０３−１へと移動されることによって、Ｌ１層における記録又は再生が行われる。【００９０】
以上説明したＬ０層とＬ１層におけるセクタ番号はすべて、１６進数における１５の補数の関係にある。より具体的には、例えば、Ｌ０層における折り返し点（セクタ番号“１ＡＦＦＦＦｈ”）とＬ１層における折り返し点（セクタ番号“Ｅ５００００ｈ”）は１５の補数の関係にある。形式的には、“１ＡＦＦＦＦｈ”の補数は、１６進数のセクタ番号“１ＡＦＦＦＦｈ”を２進数“０００１１０１０１１１１１１１１１１１１１１１１”に変換してからビット反転（インバート：invert）“１１１００１０１００００００００００００００００”させ、１６進数“Ｅ５００００ｈ”に再変換させることによって求められる。【００９１】
よって、コンテンツ情報は、例えば、Ｌ０層のデータエリア１０２−０のセクタ番号“０３００００ｈ”から“１ＡＦＦＦＦｈ”及びＬ１層のデータエリア１０２−１のセクタ番号“Ｅ５００００ｈ”から“ＦＣＦＦＥＦｈ”において、光ピックアップが連続して移動されると同時に記録又は再生される。【００９２】
以上説明した物理的セクタ番号に対して、論理ブロックアドレス（ＬＢＡ：Logical Block Address）が、１対１に割り付けられている。より具体的には、例えば、セクタ番号“０３００００ｈ”には“００００００”ＬＢＡが対応し、セクタ番号“ＦＣＦＦＥＦｈ”には、“３０ＦＦＥＦ”ＬＢＡが対応する。【００９３】
次に、図４を参照して、本発明の情報記録装置の第１実施例に係る情報記録再生装置の動作概要について説明する。ここに、図４は、本発明の情報記録装置の第１実施例に係る情報記録再生装置の動作概要を示した図式的概念図である。【００９４】
図４に示されるように、Ｌ０層において、データエリア１０２−０においてコンテンツ等のデータが記録されると共に引き続いて、本発明に係る第１緩衝用データの一例を構成する所定量の緩衝用データがＬ０層に第１ミドルエリア１０４ａ−０として記録される。そしてＬ１層への層間ジャンプを経て、本発明に係る第２緩衝用データの一例を構成する所定量の緩衝用データがＬ１層に第２ミドルエリア１０４ａ−１として記録されると共に引き続いて、データエリア１０２−１においてデータが記録される（ステップＳ１）。そして、例えば、ファイナライズ処理時に、緩衝用データがＬ０層にミドルエリア１０４−０全体となるように追記されると共に（ステップＳ２）、Ｌ１層にミドルエリア１０４−１全体となるように追記される（ステップＳ３）。【００９５】
次に、図５を参照して、本発明の情報記録装置の第１実施例に係る情報記録再生装置による光ディスクのミドルエリアに所定量の緩衝用データを書き込むと共に、層間ジャンプを行う動作原理について説明する。ここに、図５は、本発明の情報記録装置の第１実施例に係る情報記録再生装置による光ディスクのミドルエリアに緩衝用データを書き込むと共に、層間ジャンプを行う動作原理を示した図式的概念図（図５（ａ））及び、層間ジャンプの際のセクタ番号の推移を示した図式的グラフ図（図５（ｂ））である。縦軸は、物理的セクタ番号を示し、横軸は、光ディスクにおける内周側及び外周側の相対的な位置関係を示す。【００９６】
図５（ａ）に示されるように、コンテンツ等のデータの通常の記録後に、本発明に係る第１緩衝用データの一例を構成する例えば、“ｎ”ＥＣＣブロックの所定量の緩衝用データがＬ０層のミドルエリア１０４−０に記録される。そしてＬ１層への層間ジャンプを経て、本発明に係る第２緩衝用データの一例を構成する所定量の緩衝用データがＬ１層のミドルエリア１０４−１に記録される。【００９７】
以下、より具体的な説明を行う。各ＥＣＣブロックは、“１６”セクタ（“３２”ＫＢ）によって構成されている。各ＥＣＣブロックの先頭に位置するセクタは、セクタ同士をリンクさせるリンキングセクタとなることができる。【００９８】
図５（ａ）のＬ０層、及び、図５（ｂ）の下側の直線に示されるように、Ｌ０層において、“１”番目から“ｎ”番目のＥＣＣブロックのリンキングセクタのセクタ番号（“Ｘ１”から“Ｘｎ”）が示されている。尚、前述した第１ミドルエリアのセクタ番号が、“Ｘ１”から“Ｘｎ”によって示されているということもできる。【００９９】
他方、図５（ａ）のＬ１層、及び、図５（ｂ）の上側の直線に示されるように、Ｌ０層における“ｎ”番目から“１”番目のＥＣＣブロックのリンキングセクタのセクタ番号（“Ｘｎ”から“Ｘ１”）に対応して、Ｌ１層におけるリンキングセクタのセクタ番号（“ＩｎｖＸｎ”（（インバート（Invert））のＸｎ）から“ＩｎｖＸ１”）が示されている。尚、前述した第２ミドルエリアのセクタ番号が、“ＩｎｖＸｎ”から“ＩｎｖＸ１＋１５”によって示されているということもできる。【０１００】
以上のように構成されているのでその追記時には、Ｌ０層において、“１”番目のＥＣＣブロックのリンキングセクタ（セクタ番号：Ｘ１）から“ｎ”番目のＥＣＣブロックのリンキングセクタ（セクタ番号：Ｘｎ）まで緩衝用データが記録され、Ｌ０層からＬ１層へ層間ジャンプが行われると共に、Ｌ１層においてリンキングセクタ（セクタ番号：ＩｎｖＸｎ）がサーチされる。そして、リンキングセクタ（セクタ番号：Ｘｎ）とサーチされたリンキングセクタ（セクタ番号：ＩｎｖＸｎ）とのリンキンングポジションにおいてリンク（リンキング）が行われる。尚、セクタ内のリンキンングポジションにおけるリンクの構造の詳細については、後述される図６及び図７において説明される。そして、Ｌ１層において、リンキングセクタ（セクタ番号：ＩｎｖＸｎ）からリンキングセクタ（セクタ番号：ＩｎｖＸ１）を含んだＥＣＣブロック、即ち、セクタ（セクタ番号：ＩｎｖＸ１＋１５）まで、緩衝用データが記録される。【０１０１】
次に、図６を参照して、本発明の情報記録装置の第１実施例に係る情報記録再生装置によるセクタ内のリンキンングポジションにおけるトラックパスに沿ったリンクの構造の一具体例の詳細について説明する。ここに、図６は、本発明の情報記録装置の第１実施例に係る情報記録再生装置によるセクタ内のリンキンングポジションにおけるトラックパスに沿ったリンクの構造の一具体例を示した図式的構造図（図６（ａ））及び、このリンクが行われる位置を示した図式的概念図（図６（ｂ））である。【０１０２】
図６（ａ）に示されるように、記録済みの領域（ステップＳ１０１参照）の後ろ側に、新しく追記（ステップＳ１０２参照）が行われるときは、セクタ内のリンキングポジションにおけるリンク（上書き）が行われる。より具体的には、例えば、大部分が未記録領域であり新しく追記が行われる１ＥＣＣブロック（１６セクタ）の先頭に位置する例えば、リンキングセクタ内の２６個のシンクフレームの内の第１シンクフレームの“１６”バイト（Bytes）分目まで記録済みである。ここで、新しく追記が行われるときは、このリンキングセクタの第１シンクフレームの“１５”から“１７”バイトの間の例えば、“１６”バイト目以降から追記が開始される。【０１０３】
このように、１ＥＣＣブロックの先頭に位置するリンキングセクタの第１シンクフレームの１６バイト目は、新しい追記によって上書きされる領域であり、リンキングポジションと称される。より詳細には、例えば、２ＫＢの情報量を持つリンキングセクタは、２６個のシンクフレームを備えて構成され、各シンクフレームは、“３２”チャネルビットの同期信号部と“１４８８”チャネルビットのデータ部を備えて構成されている。同期信号は、例えば、図６（ａ）中、“ＳＹ０”や“ＳＹ５”等の８種類あり、これらの同期信号の２つの組合せによって、ユニークなペアのシンクフレームを特定することができる。よって、情報記録再生装置は、１セクタ内のどの位置に記録するかを制御することが可能となる。【０１０４】
このような、トラックパスに沿ったリンクは、図６（ｂ）に示されるように、Ｌ０層からＬ１層への層間ジャンプの時に追記する際に行われる（リンク部Ｒ１を参照）。また、Ｌ０層における第１ミドルエリア１０４ａ−０の次に緩衝用データをトラックパスに沿って追記する際にも行われる（リンク部Ｒ２を参照）。【０１０５】
尚、本発明の研究者によれば、マークピット単位での追記は実現可能ではあるが、行なわれないほうが好ましい。何故ならば、記録の始まりと終わりの熱伝導によるマークピット形状の不確実性、及び、情報記録装置に対するある程度のマージンを考慮したほうがよいためである。また、記録クロック単位のずれに起因する上書きの領域のずれ又は書込みエラーは、ＥＣＣ（Error Correcting Code）によって誤り訂正される。また、同期信号のチャネルビットの部分、該同期信号の部分の直前に位置するデータ部分での追記も行なわれないほうが好ましい。何故ならば、前述の各種マージンを考えると、書込みエラーが発生する可能性があり、その場合も同様にＥＣＣによって誤り訂正される。特に、同期信号の部分は制御動作に密接に関わるので、ＤＶＤは規格上、該同期信号の部分のリンクは行なわれていない。【０１０６】
次に、図７を参照して、本発明の情報記録装置の第１実施例に係る情報記録再生装置によるセクタ内のリンキンングポジションにおけるトラックパスとは反対方向のリンクの構造の一具体例の詳細について説明する。ここに、図７は、本発明の情報記録装置の第１実施例に係る情報記録再生装置によるセクタ内のリンキンングポジションにおけるトラックパスとは反対方向のリンクの構造の一具体例を示した図式的構造図（図７（ａ））及び、このリンクが行われる位置を示した図式的概念図（図７（ｂ））である。【０１０７】
図７（ａ）に示されるように、記録済みの領域（ステップＳ２０１参照）の先頭側に、新しく追記（ステップＳ２０２参照）が行われるときは、セクタ内のリンキングポジションにおけるリンク（上書き）が行われる。より具体的には、例えば、大部分が記録済み領域であり新しく追記が行われる１ＥＣＣブロック（１６セクタ）の先頭に位置する例えば、リンキングセクタ内の２６個のシンクフレームの内の第１シンクフレームの“１５”から“１７”バイトの間の例えば、“１６”バイト（Bytes）目以降から記録済みである。ここで、新しく追記が行われるときは、このリンキングセクタの第１シンクフレームの例えば、“１６”バイト分目まで追記が行われる。【０１０８】
このように、前述した図６と同様に、１ＥＣＣブロックの先頭に位置するリンキングセクタの第１シンクフレームの１６バイト目は、新しい追記によって上書きされる領域であり、リンキングポジションと称される。【０１０９】
このような、トラックパスとは反対方向のリンクは、図７（ｂ）に示されるように、Ｌ１層における第２ミドルエリア１０４ａ−１の記録後、緩衝用データをトラックパスとは反対方向の順番に追記する際に行われる（リンク部Ｒ３を参照）。【０１１０】
次に、図８を参照して、本発明の情報記録装置の第１実施例に係る情報記録再生装置の作用効果について検討を加える。ここに、図８は、比較例の一具体例に係る情報記録再生装置の動作概要を示した図式的概念図（図８（ａ））であり、比較例の他の一具体例に係る情報記録再生装置の動作概要を示した図式的概念図（図８（ｂ））である。【０１１１】
図８（ａ）に示されるように、Ｌ０層において、データエリア１０２−０においてコンテンツ等のデータが記録される。そしてＬ１層への層間ジャンプを経て、データエリア１０２−１においてデータが記録される（ステップＳ１０）。そして、例えば、ファイナライズ処理時に、緩衝用データがＬ０層のミドルエリア１０４−０の全体に追記されると共に（ステップＳ２０）、Ｌ１層のミドルエリア１０４−１の全体に追記される（ステップＳ３０）。このような比較例の一具体例では、リンク部２１において、コンテンツ等の実データに対して、図６で説明した、トラックパスに沿ったリンクが生じてしまい、リンクされた実データの信号品質の劣化を生じさせてしまう。他方、リンク部３１において、コンテンツ等の実データに対して、図７で説明した、トラックパスとは反対方向のリンクが生じてしまい、リンクされた実データの信号品質の劣化を生じさせてしまう。【０１１２】
これに対して、本発明の情報記録装置の第１実施例に係る情報記録再生装置においては、実データに対してリンクが生じることはなく、前述した第１ミドルエリア１０４ａ−０及び１０４ａ−１に記録された緩衝用データに対してリンクが生じるので、層間ジャンプにおける実データの信号品質の劣化を生じさせてしまうことは殆ど又は完全になくすことが可能である。【０１１３】
図８（ｂ）に示されるように、Ｌ０層において、データエリア１０２−０においてコンテンツ等のデータが記録されると共に、緩衝用データがＬ０層のミドルエリア１０４−０の全体に記録される。そしてＬ１層への層間ジャンプを経て、緩衝用データがＬ１層のミドルエリア１０４−１の全体に記録されると共に、データエリア１０２−１においてデータが記録される（ステップＳ１１）。このような比較例の他の一具体例では、実データに対してリンクが生じることはないが、層間ジャンプの際に、ミドルエリア全体に緩衝用データを記録するため、層間ジャンプ全体に掛かる時間を長くさせてしまう。【０１１４】
これに対して、本発明の情報記録装置の第１実施例に係る情報記録再生装置においては、層間ジャンプの際に、ミドルエリア全体に対してではなく、所定量の緩衝用データがミドルエリアに部分的に記録されるため、層間ジャンプ全体に掛かる時間を大幅に短縮することが可能となる。【０１１５】
（情報記録装置の第２実施例）
次に、図９を参照して、本発明の情報記録装置の第２実施例に係る情報記録再生装置による光ディスクのミドルエリアに所定量の緩衝用データを書き込むと共に、層間ジャンプを行う動作原理について説明する。ここに、図９は、本発明の情報記録装置の第２実施例に係る情報記録再生装置による光ディスクのミドルエリアに緩衝用データを書き込むと共に、層間ジャンプを行う動作原理を示した図式的概念図（図９（ａ））及び、層間ジャンプの際のセクタ番号の推移を示した図式的グラフ図（図９（ｂ））である。尚、縦軸及び横軸は、前述した図５（ｂ）と同様である。【０１１６】
図９（ａ）に示されるように、本発明に係る第１及び第２緩衝用データの一例を構成する所定量の緩衝用データの基本的な追記手順及びリンキングセクタのセクタ番号等の構成は、図１から図８を参照して説明した第１実施例と概ね同様である。【０１１７】
第２実施例では特に、Ｌ０層において、“１”番目のＥＣＣブロックのリンキングセクタ（セクタ番号：Ｘ１）から“ｎ”番目のＥＣＣブロックのリンキングセクタ（セクタ番号：Ｘｎ）まで緩衝用データが記録され、Ｌ０層からＬ１層へ層間ジャンプが行われると共に、Ｌ１層においてリンキングセクタ（セクタ番号：ＩｎｖＸｎ＋１６）がサーチされる。何故ならば、“１”ＥＣＣブロックだけ内周側に位置するリンキングセクタをサーチするため。そして、リンキングセクタ（セクタ番号：Ｘｎ）とサーチされたリンキングセクタ（セクタ番号：ＩｎｖＸｎ＋１６）とのリンキンングポジションにおいてリンキングが行われる。尚、セクタ内のリンキンングポジションにおけるリンクの構造の詳細については、前述した図６等の説明と同様である。そして、Ｌ１層において、リンキングセクタ（セクタ番号：ＩｎｖＸｎ＋１６）からリンキングセクタ（セクタ番号：ＩｎｖＸ１）を含んだＥＣＣブロックまで、緩衝用データが記録される。【０１１８】
以上より、例えば、サーチされた対応アドレスより“１”ＥＣＣブロック（１６セクタ）だけ内周側に位置する本発明に係る準対応アドレスの一例を構成するリンキングセクタ（セクタ番号：ＩｎｖＸｎ＋１６）からＬ１層における緩衝用データの書き込みを開始するので、Ｌ０層及びＬ１層におけるトラックパスに沿った円滑的且つ効率的な記録動作を行うことが可能となる。【０１１９】
（情報記録装置の第３実施例）
次に、図１０を参照して、本発明の情報記録装置の第３実施例に係る情報記録再生装置による光ディスクのミドルエリアに所定量の緩衝用データを書き込むと共に、層間ジャンプを行う動作原理について説明する。ここに、図１０は、本発明の情報記録装置の第３実施例に係る情報記録再生装置による光ディスクのミドルエリアに緩衝用データを書き込むと共に、層間ジャンプを行う動作原理を示した図式的概念図（図１０（ａ））及び、層間ジャンプの際のセクタ番号の推移を示した図式的グラフ図（図１０（ｂ））である。尚、縦軸及び横軸は、前述した図５（ｂ）と同様である。【０１２０】
図１０（ａ）に示されるように、本発明に係る第１及び第２緩衝用データの一例を構成する所定量の緩衝用データの基本的な追記手順及びリンキングセクタのセクタ番号等の構成は、図１から図８を参照して説明した第１実施例と概ね同様である。【０１２１】
第３実施例では特に、Ｌ０層において、“１”番目のＥＣＣブロックのリンキングセクタ（セクタ番号：Ｘ１）から“ｎ”番目のＥＣＣブロックのリンキングセクタ（セクタ番号：Ｘｎ）まで緩衝用データが記録され、Ｌ０層からＬ１層へ層間ジャンプが行われると共に、Ｌ１層において、例えば、一番最初にリンキングポジションが検知されたリンキングセクタのセクタ番号“ＩｎｖＸｗ”が光ディスクの例えば、ＲＭ（レコーディングマネージメント）エリア等の管理又は制御情報が記録された領域、或いは、Ｌ１層のデータエリア直前のミドルエリアに記録されてもよい。尚、該リンキングセクタは、例えば、数十トラックピッチ程度、内周側又は外周側に位置されているものでもよい。そして、リンキングセクタ（セクタ番号：Ｘｎ）と記憶されたリンキングセクタ（セクタ番号：ＩｎｖＸｗ）とのリンキンングポジションにおいてリンキングが行われる。尚、セクタ内のリンキンングポジションにおけるリンクの構造の詳細については、前述した図６等の説明と同様である。そして、Ｌ１層において、リンキングセクタ（セクタ番号：ＩｎｖＸｗ）からリンキングセクタ（セクタ番号：ＩｎｖＸ１）を含んだＥＣＣブロックまで、緩衝用データが記録される。【０１２２】
以上より、本発明に係る「最初に認識されるアドレス」の一例を構成するリンキングセクタ（セクタ番号：ＩｎｖＸｗ）からＬ１層における緩衝用データの書き込みを開始するので、サーチの動作が不要となるのでより迅速且つ効率的な記録動作を行うことが可能となる。【０１２３】
尚、第１から第３実施例においては、ＤＶＤの規格に従って、ＥＣＣブロックと、追記される領域がＥＣＣブロックの境界から、ある程度ずれた具体例を示したが、ＥＣＣブロックの境界と追記される領域が一致していてもよい。【０１２４】
本実施例では、情報記録装置の一具体例として、例えば、２層型ＤＶＤ−Ｒ等の追記型光ディスクの情報記録再生装置について説明したが、本発明は、例えば、２層型ＤＶＤ−Ｒ／Ｗ等の書き換え型光ディスクの情報記録再生装置に適用可能である。加えて、例えば、３層型等のマルチプルレイヤ型の光ディスクの情報記録再生装置にも適用可能である。更に、その他の多層型の大容量記録媒体の情報記録再生装置にも適用可能である。【０１２５】
本発明は、上述した実施例に限られるものではなく、請求の範囲及び明細書全体から読み取れる発明の要旨或いは思想に反しない範囲で適宜変更可能であり、そのような変更を伴なう情報記録装置及び方法、情報記録再生装置及び方法、並びにコンピュータプログラムもまた本発明の技術的範囲に含まれるものである。
【産業上の利用可能性】
【０１２６】
本発明に係る情報記録装置及び方法、並びにコンピュータプログラムは、例えば、民生用或いは業務用の、各種情報を高密度に記録可能な多層型の光ディスクに係るレコーダ等にも利用可能である。また、例えば民生用或いは業務用の各種コンピュータ機器に搭載される又は各種コンピュータ機器に接続可能な、記録装置等にも利用可能である。
【図１】
0004422107.tif 000002
【図２】
0004422107.tif 000003
【図３】
0004422107.tif 000004
【図４】
0004422107.tif 000005
【図５】
0004422107.tif 000006
【図６】
0004422107.tif 000007
【図７】
0004422107.tif 000008
【図８】
0004422107.tif 000009
【図９】
0004422107.tif 000010
【図１０】
0004422107.tif 000011